(57)【要約】      （修正有）【課題】家禽の幅広い足の太さに適用でき、足が太くなっても過大な締め付けが生じることがなく、さらには出荷後にも最終消費地まで追跡が可能なトレーサビリティを付与することができる識別具及びこの識別具を利用した家禽用の管理システムを提供する。【解決手段】取付具１０は、所定厚さを有し、偏平状の識別部と、前記識別部の側面の一端及び他端にそれぞれ設けられた、一対のカールコードからなる円弧状の伸縮部１１ａ、１１ｂとを有し、一対のカールコードからなる円弧状の伸縮部１１ａ、１１ｂは、１個の環状に形成されたカールコード１１が識別部の空洞内に挿通され、両端側がそれぞれ前記識別部の一端及び他端から延在されて、一対の円弧状の伸縮部１１ａ，１１ｂを形成しており、前記識別部は外表面が熱収縮チューブ１２により被覆されており、前記識別部には内部又は表面に電子タグ１３が設けられている。【選択図】図３
2020005526.tif 000002
【特許請求の範囲】
【請求項１】
家禽の足に取り付けるための識別具であって、
所定厚さを有し、偏平状の識別部と、
前記識別部から2方向に延在する伸縮するコイル状の樹脂コードからなる一対の円弧状の伸縮部と、
を有することを特徴とする、識別具。
【請求項２】
前記一対の円弧状の伸縮部は、１個の環状に形成された伸縮するコイル状の樹脂コードで形成されており、
前記識別部は前記樹脂コードを保持する保持部を有し、
前記環状に形成された伸縮するコイル状の樹脂コードは、前記識別部の前記保持部に保持され、両端側がそれぞれ前記識別部の一端及び他端から延在されて、一対の前記円弧状の伸縮部を形成していることを特徴とする、請求項１に記載の識別具。
【請求項３】
前記識別部は、外表面が熱収縮チューブにより被覆されていることを特徴とする、請求項２に記載の識別具。
【請求項４】
前記識別部には、電子タグが設けられていることを特徴とする、請求項１〜３のいずれかに記載の識別具。
【請求項５】
請求項４に記載の識別部が取り付けられた家禽用の管理システムであって、
家禽の体長ないし体重を測定し、この測定値を出力する測定器と、
前記測定器で測定する家禽に取り付けられた前記電子タグの電子タグ情報を読み取り又は書き込みする電子タグ読み取り又は書き込み器と、
前記電子タグ情報に対応する前記測定値を記憶するデータベースと、
を含み、
前記データベースは、前記電子タグ情報に対応させて、家禽の個体情報、家禽の親鳥の情報、家禽の生育状況の情報、家禽の生育環境の情報、家禽の生育条件の情報、家禽の管理情報、又は、家禽の出荷情報のいずれか少なくとも１つの情報を管理することを特徴とする、家禽用の管理システム。
【請求項６】
前記測定器にはその測定位置に家禽を一羽ずつ誘導する通路が設けられていると共に、
前記電子タグ読み取り又は書き込み器は、前記測定位置にいる家禽の電子タグの情報を読み取り又は書き込みすることを特徴とする、請求項５に記載の家禽用の管理システム。
【発明の詳細な説明】
【技術分野】
【０００１】
本発明は、家禽の生産段階から最終消費まで追跡が可能なトレーサビリティを構築するための、識別具及び家禽用の管理システムに関する。
【背景技術】
【０００２】
近年、消費者において、食料品の安全性、健全性についての関心度が高まってきており、市販の食料品には製造年月日、産地、使用した原材料などを明記することが義務づけられている。家禽ないし家畜から調理ないし製造された商品についても、少なくとも生産地、生産者、流通経路等の情報などを商品や陳列ケースなどに表示している。そのため、家禽ないし家畜の生産者においても、このような状況に対応するため、家畜の誕生から、育成、食肉処理までの追跡用に、各種個体情報を付した識別具を装着している。
【０００３】
加えて、例えば鶏では雛鳥が親鳥になるまで約６か月を要するが、個々の雛鳥の識別と成長過程における体重等の管理を行うために個体ＩＤを記録した足輪を足の太さに応じて取り替えたり、羽が成長した場合には羽の付け根に個体ＩＤを記録した識別バンドを巻き付けることが行われている。
【０００４】
このような各種個体情報を記録した識別具として、例えば、下記特許文献１に、適宜の幅と長さとを有する帯状の表示部の両端に、家畜の手足などの挿入口を有する一対の平板状の取付部が、それぞれ連接されている家畜用の識別具の発明が開示されている。この識別具５０は、図７に示したように、適宜の幅と長さとを有する帯状の表示部５１と、その両端に連接された一対の平板状の取付部５２とを有しており、例えば軟質の塩化ビニルやポリプロピレン樹脂などの適宜の柔軟性を有する合成樹脂板あるいは不織布により一体的に形成されている。
【０００５】
表示部５１は個体情報が印刷等の手段により表示されたタグ状の標識部５３が設けられている。この個体情報は、例えば家畜の生産地、誕生日、生産者等の流通経路などの検索や開示に必要な情報であり、ここでは印刷、熱転写、サーマル発色、レーザープリント等の各種のプリント方式で印字が可能なものを用いているが、ＲＦＩＤ（登録商標名）タグのような電子タグを付設することもできるものである。
【０００６】
また、表示部５１の両端に連設された各取付部５２には、ほぼ中央に家畜の手足などの挿入孔５４が形成されており、前記各挿入孔５４は、その内周縁５５から所定の長さを有する複数の切り込み５６が放射状に形成されている。各挿入孔５４の直径は、誕生時の家畜における足径とほぼ同径であり、各切り込み５６の深さはこの切り込み５６が装着する家畜の成長後における足径に到達する長さである。
【０００７】
この識別具５０は、表示部５１に使用する幼鳥に関し、生産地、生産者、流通経路等の検索、開示を目的とした個別情報を表示した標識部５３を付設し、図８Aに示したように、幼鳥の足５８に、一方の取付部５２の表側から挿入孔５４に差し込み、次いでもう一方の取付部５２の裏側から挿入孔５４に差し込み装着する。このようにして装着された識別具５０は、幼鳥の足５８に所定の間隔を有して挿入、支持される一対の取付部５２により表示部５１が幼鳥の足５８に沿って配置されることになり、容易に表示を視認することができるようになる。
【０００８】
そして、識別具５０を装着した幼鳥が成鳥になるにつれて、足５８が拡径した場合には、図８Ｂに示すように、各取付部５２に設けられた挿入孔５４が、挿入した成鳥の足５８が成長により太くなるのに対応して各切り込み５６が押し広げられて挿入孔５４が拡径する。そのため、挿入孔５４が足５８を締め付けて血行障害などを起こすということがないので、従来の足環のように成長に合わせて識別具５０を付け替える必要がなくなるという効果を奏するものである。
【先行技術文献】
【特許文献】
【０００９】
【特許文献１】特開２００７−１８１４４６号公報
【発明の概要】
【発明が解決しようとする課題】
【００１０】
上記特許文献１に開示されている識別具５０の取付部５２は、環状に形成され、これに鳥の足を差し込む、いわゆる、足環と呼ばれるものであり、筒体を呈する外周面に固体情報などの識別表示をするものである。この取付部５２としては、図８Ａ及び図８Ｂに示したように、幼鳥が成長するに従って足が太くなってそのまま適用できるようになされているが、足が太くなった状態に対応させる機能は切込み５６によってなされているので、適用できる足の太さの範囲が狭く、足が細すぎる場合には識別具５０の固定が困難となってずり落ちる可能性があり、逆に足が太くなりすぎた場合には、挿入孔５４による締め付けで足に血行障害が起きるなど、足の成長が阻害される可能性がある。
【００１１】
そのため、上記特許文献１に開示されている識別具５０によれば、挿入口５４及び切り込み５６の設定が難しく、家禽の種類によっては複数種類の規格の識別具を用意する必要があり、あるいは、家禽の成長の程度に応じて識別具を交換する必要がある等の課題があった。特に、現在では一カ所で多数の家禽を飼育しているので、識別具を交換する場合には、多数の識別具を交換することとなり、しかも、特許文献１に開示されている識別具は容易に着脱できないために、多大な手間と時間を要し、加えて取り外した多量の識別具の処理も含めて多大な経費を要し、きわめて面倒でもあるなどの課題があった。
【００１２】
また、上記特許文献１の一対の取付部５２の間に設けられた表示部５１は、家禽の足から離れた位置で安定しない構造である。家禽は足に付けられた異物をくちばしで突く性質があり、これにより、不安定な表示部５１が突かれ、その表示が剥がれ落ちたり、あるいは、表示部５１が破損したりする恐れがあるという課題があった。
【００１３】
さらに、取付部５２の取付位置は家禽の足の先端部分に限られている。このため、家禽を食肉として出荷する場合には、足の切断と共に、表示部は家禽から切り離される。このために、食肉としての出荷段階ではもはや表示部は家禽の識別に利用できないという課題があった。
【００１４】
本発明は、上述の様な従来技術の課題を解決するためになされものである。すなわち、本発明は、幼鳥時から成長時まで、家禽の幅広い足の太さに適用でき、幼鳥が成長して足の太くなっても取付部分による過大な締め付けが生じることがなく、かつ、電子タグを安定して家禽の足に沿って固定でき、さらには家禽の出荷時に下肢を切断しても股の部分に移動させることができるようにして出荷後にも最終消費地まで追跡が可能なトレーサビリティを付与することができる識別具を提供することを目的とする。
【課題を解決するための手段】
【００１５】
本発明の上記目的は、以下の構成によって達成できる。すなわち、本発明の第１の態様の識別具は、家禽の足に取り付けるための識別具であって、所定厚さを有し、偏平状の識別部と、前記識別部から2方向に延在する伸縮するコイル状の樹脂コード（以下、「伸縮するコイル状の樹脂コード」を単に「カールコード」ということがある）からなる一対の円弧状の伸縮部と、を有することを特徴とする。
【００１６】
本発明の第１の態様の識別具によれば、一方向の円弧状の伸縮部及び他方向の円弧状の伸縮部を互いに対向するように折り曲げた後、両者の円弧状の伸縮部を同時に拡径して家禽の足を挿通すれば、識別部が家禽の足に沿った状態で、一方向の円弧状の伸縮部と他方向の円弧状の伸縮部とにより識別部を家禽の足に固定することができる。しかも、かかる態様の識別具によれば、円弧状の伸縮部がカールコードからなるので、円弧状の伸縮部の伸縮度が大きく、足が細い雛鳥の足に対しても、足が太い親鳥に対しても取付及び取外しが容易となる。加えて、足が細い雛鳥に取り付けた後、雛鳥が成長して足が太くなっても足が締め付けられることが少なく、足に血行障害が生じ難くなって足の成長が阻害されることがないので、家禽の誕生から生育するまで識別具を付け替える必要ながなくなる。
【００１７】
また、本発明の第１の態様の識別具によれば、カールコードからなる円弧状の伸縮部が足に二重巻きのように上下２段に設けられた状態となるので、家禽、例えば鶏が嘴で突っついても損傷の度合いは少なく、成鳥になるまでの半年以上は問題なく使用することができる。加えて、個体識別用のＩＤが記録されている識別部は、カールコードからなる円弧状の伸縮部に挟まれた状態で上下２段に亘って足に取り付けられているので、保持状態が良好となり、例えば鶏が嘴で突っついても外れ難い。なお、家禽としては、鶏の限定されるものではなく、例えばウズラ、七面鳥、アヒル、ガチョウ、鳩、オナガドリ、チャボ、シャモ、東天紅等も含まれる。
【００１８】
さらに、成長した家禽を出荷する場合、通常は下肢を切断して出荷するが、本発明の第１の態様の識別具によれば、円弧状の伸縮部の伸縮度が大きいために識別具を取り外すことなく下肢から腿に移動させることができるので、家禽誕生から生育段階だけでなく、出荷後の最終消費まで追跡が可能なトレーサビリティを付与することができるようになり、さらに、出荷後に腿から取り外した本発明の識別具は、再利用することも可能となる。なお、識別部には、飼育者が識別しやすく、かつ、家禽を識別するために必要な情報、例えば個体識別番号を適宜に記載してもよく、バーコードやＱＲコード（登録商標名）を記載してもよい。
【００１９】
また、本発明の第２の態様の識別具は、第１の態様の識別具において、前記一対の円弧状の伸縮部は、１個の環状に形成された伸縮するコイル状の樹脂コードで形成されており、
前記識別部は前記樹脂コードを保持する保持部を有し、
前記環状に形成された伸縮するコイル状の樹脂コードは、前記識別部の前記保持部に保持され、両端側がそれぞれ前記識別部の一端及び他端から延在されて、一対の前記円弧状の伸縮部を形成していることを特徴とする。
【００２０】
かかる態様の識別具によれば、環状に形成されているカールコードを識別部に形成されている保持部に保持し、識別部の両端からそれぞれカールコードを円弧状に突出させることにより伸縮部を形成すればよいので、作成が容易となる。なお、識別部の保持部とカールコードとの間の固定は、接着剤ないし粘着剤を用いて固定しても、識別部の保持部を圧縮することにより固定しても、弾性を有する保持部により固着してもよい。なお、工業用のカールコードは、通常長尺の状態で市販されているが、適宜の長さで切断して環状に形成すれば、本発明の第２の形態の識別具の環状に形成されたカールコードとして使用することができる。
【００２１】
また、本発明の第３の態様の識別具は、第２の態様の識別具において、前記識別部は、外表面が熱収縮チューブにより被覆されていることを特徴とする。
【００２２】
識別部の外表面を熱収縮チューブにより形成すると、環状に形成されているカールコードを熱収縮チューブ内に挿通し、熱収縮チューブの両端からそれぞれカールコードを円弧状に突出させることにより伸縮部を形成すればよく、しかも、熱収縮チューブとカールコードとの間の固定も熱収縮チューブの外から例えば熱風機器やヘアードライヤーなどで加熱すればよいので、作成が容易となる。なお、熱収縮チューブとしては、家禽の飼育環境からして水に触れることもあるので、耐水性のものが好ましい。
【００２３】
また、本発明の第４の態様の識別具は、第１〜第３のいずれかの態様の識別具おいて、前記識別部には、内部又は表面に電子タグが設けられていることを特徴とする。
【００２４】
電子タグは、例えばＲＦＩＤ（登録商標名）等、非接触型ＩＣタグとしても知られているものであり、ＩＤ情報を埋め込んだ電子タグから電磁界や電波などを用いて近距離（周波数帯によって数ｃｍ〜数ｍ）の無線通信によって情報をやりとりするものであり、極めて短時間の間にデータを処理することができ、記憶容量も個体識別用としては十分な容量を備えているものである。本発明の第４の態様の識別具によれば、この電子タグを備えた識別具を取り付けた家禽が多数存在していても、これらの家禽を例えば所定の通路を通過させるなどすれば、それぞれの家禽の個体情報を識別し、適宜に必要な情報を書き込んだりすることもできる。必要な情報としては、例えば通路に家禽用体重計を配置しておき、家禽用体重計上を通過した家禽の体重を書き込むようにすることもできる。
【００２５】
また、本発明の第５の態様の家禽用の管理システムは、実施形態４の識別部が取り付けられた家禽用の管理システムであって、
家禽の体長ないし体重を測定し、この測定値を出力する測定器と、
前記測定器で測定する家禽に取り付けられた前記電子タグの電子タグ情報を読み取り又は書き込みする電子タグ読み取り又は書き込み器と、
前記電子タグ情報に対応する前記測定値を記憶するデータベースと、
を含み、
前記データベースは、前記電子タグ情報に対応させて、家禽の個体情報、家禽の親鳥の情報、家禽の生育状況の情報、家禽の生育環境の情報、家禽の生育条件の情報、家禽の管理情報、又は、家禽の出荷情報のいずれか少なくとも１つの情報を管理することを特徴とする。
【００２６】
かかる家禽用の管理システムによれば、家禽に取り付けられた電子タグを利用して、自動的に家禽の体長ないし体重を測定して記憶することができる。また、データベースは、電子タグ情報に対応させて、家禽の個体情報、家禽の親鳥の情報、家禽の生育状況の情報、家禽の生育環境の情報、家禽の生育条件の情報、家禽の管理情報、又は、家禽の出荷情報等の情報を管理することができるので、家禽が生まれてから、出荷・流通され、あるいは、親鳥として活用されるまでの家禽の情報を容易に管理することができるため、良好なトレーサビリティを構築することが可能である。
【００２７】
さらに、本発明の第６の態様の家禽用の管理システムは、第５の態様の家禽用の管理システムにおいて、前記測定器にはその測定位置に家禽を一羽ずつ誘導する通路が設けられていると共に、
前記電子タグ読み取り又は書き込み器は、前記測定位置にいる家禽の電子タグの情報を読み取り又は書き込みすることを特徴とする。
【００２８】
かかる家禽用の管理システムによれば、例えば鶏を１羽ずつ通過させるための狭い通路を形成することができるため、複数の鶏が同時に計量具上を通過することが抑制され、正確に鶏の体重を計測することができるようになる。また、測定位置にいる家禽の電子タグを読み取り又は書き込みする電子タグ読み取り又は書き込み器が設けられているため、正確に鶏の個別データを計測及び記録することができるようになり、データベースでの管理が容易かつ確実となると共に、必要な情報を電子タグに書き込みこともできる。
【発明の効果】
【００２９】
以上述べたように、本発明の識別具によれば、円弧状の伸縮部がカールコードからなるので、円弧状の伸縮部の伸縮度が大きく、足が細い雛鳥の足に対しても、足が太い親鳥に対しても取付及び取外しが容易となるとともに、足が細い雛鳥に取り付けた後、雛鳥が成長して足が太くなっても足が締め付けられることが少なく、足に血行障害が生じ難くなって足の成長が阻害されることがないので、家禽の誕生から生育するまで識別具を付け替える必要ながなくなる。さらに、成長した家禽を出荷するに下肢を切断して出荷する場合であっても、円弧状の伸縮部の伸縮度が大きいために識別具を取り外すことなく下肢から腿に移動させることができるので、家禽誕生から生育段階だけでなく、出荷後の最終消費まで追跡が可能なトレーサビリティを付与することができるようになる。また、本発明の家禽用の管理システムによれば、さらに良好なトレーサビリティを構築することが可能となる。
【図面の簡単な説明】
【００３０】
【図１】図１は実施形態の識別具の組立前の各構成部材を示す模式平面図である。
【図２】図２Ａ及び図２Ｂはそれぞれ実施形態の識別具の組み立て途中の模式平面図である。
【図３】図３Ａは完成した実施形態の識別具の模式平面図であり、図３Ｂは同じく模式側面図である。
【図４】図４（ａ）〜（ｈ）は、実施形態の識別具を雛鳥の足に装着する方法を順番に説明するための図面代用写真である。
【図５】図５Ａは実施形態の装着具を雛鳥の足に見立てたボールペンの芯に装着した場合の図面代用写真であり、図５Ｂは同じく雛鳥の足首に装着した例を示す図面代用写真である。
【図６】実施形態の識別具を装着した複数の家禽の連続的ＩＤ読み取り及び体重計量を行うための計量具の一例を示す模式図である。
【図７】従来例の識別具の平面図である。
【図８】図８Ａは図７に示した識別具を雛鳥の足に取り付けた状態を示す図であり、図８Ｂは同じく成鳥の足に取り付けた状態を示す図である。
【発明を実施するための形態】
【００３１】
以下、図面を参照して本発明の実施形態に係る識別具について、図面を参照しながら作成工程順に説明する。ただし、以下に示す実施形態は本発明の技術思想を具体化するための識別具を例示するものであって、本発明をこれに特定するものではなく、特許請求の範囲に含まれるその他の実施形態のものにも等しく適用し得るものである。
【００３２】
［実施形態］
本発明の実施形態に係る識別具１０は、図１に示したように、環状に形成されたカールコード１１と、熱収縮チューブ１２と、電子タグ１３とを備えている。なお、環状に形成されたカールコードは、一部髪留め用として市販されているが、サイズや太さに限りがあるために選択肢が狭いので、そのままでは直ちには採用し難い。そして、カールコードは長尺の状態で広く市販されているので、実施形態で用いた環状に形成されたカールコード１１は、市販の長尺のカールコードを適宜の長さに切断して環状に成形して用いた。
【００３３】
例えば、実施形態で使用した環状に形成されたカールコード１１としては、例えば鶏の雛用として、ポリウレタン製の、線径φ＝１．２ｍｍ、カール径ｄ＝５ｍｍ、非伸縮時の長さＬ＝５０ｍｍのカールコードの両端を溶着することに環状に成形したものを用いた。このカールコードの線径φ、カール径ｄ及び長さＬは、家禽の種類及びサイズを考慮して、適宜に決定すればよい。
【００３４】
熱収縮チューブ１２は、市販のポリアミド（ＰＡ）／エチレンビニルアルコール（ＥＶＡ）製の、収縮開始温度７０℃、完全収縮温度１２０℃のものを用いた。この熱収縮チューブ１２の径及び長さも、家禽の種類及びサイズを考慮して適宜に決定すればよいが、ここでは鶏の雛用として直径９ｍｍのものを１５ｍｍの長さにカットして用いた。
【００３５】
電子タグ１３は、同じく市販のものであり、材質、サイズ及び規格は家禽の種類及びサイズを考慮して適宜に決定すればよいが、ここでは鶏の雛用として外径１０ｍｍ、厚さ０．４５ｍｍのタカヤ（株）製のＳＴ−１０−ＰＥＴ（商品名）を用いた。この電子タグ１３は、外層材料がポリエチレンテレフタレート（ＰＥＴ）からなり、白色で、動作周波数が１３．５６ＭＨｚのものである。
【００３６】
実施形態に係る識別具１０を作成するには、まず、図２Ａに示すように、熱収縮チューブ１２の内部に環状に形成されたカールコード１１を挿通し、熱収縮チューブ１２の両端側から環状に形成されたカールコード１１の一部を露出させてループ状の露出部１１ａ及び１１ｂが形成されるようにする。このとき、熱収縮チューブ１２の両端側から露出されたループ状の露出部１１ａ及び１１ｂは、互いにループ部分の長さ及び形状を実質的に同一となるようにすることが好ましい。
【００３７】
なお、ここでループ状の露出部１１ａ及び１１ｂについて「実質的に同一」としたのは、環状に形成されたカールコード１１は延び縮みし易く、また変形し易いために、ループ状の露出部１１ａ及び１１ｂを完全に同一の形状となるようにすることが困難なためであって、家禽に装着した際にそれぞれのループ状の露出部１１ａ及び１１ｂが家禽の足を過度に締め付けない程度に内周側が家禽の足に接触する大きさとすればよい。
【００３８】
次いで、図２Ａに示した状態の環状に形成されたカールコード１１と熱収縮チューブ１２とが組み合わせたものにおいて、熱収縮チューブ１２の下面側と環状に形成されたカールコード１１との間に電子タグ１３を挿入する。この状態が図２Ｂに示されている。
【００３９】
次いで、図２Ｂに示されている状態の環状に形成されたカールコード１１と、熱収縮チューブ１２と、電子タグ１３とが組み合わされたものに対し、熱収縮チューブ１２の収縮開始温度以上で、電子タグ１３に悪影響を与えない範囲の温度、例えば７０〜１００℃の範囲の熱風又はお湯によって加熱する。そうすると、熱収縮チューブ１２が収縮し、環状に形成されたカールコード１１と電子タグ１３とを強固に固定することができる。このようにして作成された実施形態の識別具１０の平面図を図３Ａに、同じく右側面図を図３Ｂに示した。
【００４０】
このように作成された実験例１の識別具１０において、ループ状の露出部１１ａ、１１ｂが本発明の一対の伸縮するコイル状の樹脂コードからなる円弧状の伸縮部を構成し、内部にカールコード１１が挿入されている収縮された熱収縮チューブ１２の部分が本発明の所定厚さを有する偏平状の識別部を構成する。
【００４１】
このようにして作成された実施形態の識別具１０を例えば家禽としての雛鳥に装着す方法を、図４を参照して説明する。なお、図４（ａ）〜（ｈ）は、実施形態の識別具を雛鳥の足に装着する方法を順番に説明するための図面代用写真である。なお、以下の説明は、８週齢約６５０ｇの鶏の雛鳥であり、足の下肢の太さが約１０ｍｍの場合に適用した例である。
【００４２】
（１）識別具の両側のループ状の露出部が互いに対向し、電子タグを取り付けた部分が外側となるように、折り曲げる。
（２）一方の腕で雛鳥の装着側の足首を保持する（図４（ａ））。
（３）対向している両方のループ状の露出部内に他方の手の親指と人差し指とを同時に挿入し、両方のループ状の露出部を拡径する（図４（ｂ））。
（４）拡径された両方のループ状の露出部を、足の甲側から被せ、次いで足の指を折り曲げながら挿入し、足の指を折り曲げたまま所定の位置まで挿入する（図４（ｃ），（ｄ））。
（４）足首の所定位置まで挿入したら、親指と人差し指とを引き抜き、識別具の装着位置を再修正する（図４（ｆ）、（ｇ））。
（５）膝上に装着する場合は、さらに両方のループ状の露出部内に親指と人差し指を挿入して拡径し、識別具を膝上にまで移動し、親指と人差し指とを引き抜く（図４（ｇ），（ｈ））。
【００４３】
このようにして取り付けられた実施形態の識別具１０の装着状態を、図５を用いて説明する。なお、図５Ａは実施形態の識別具１１を雛鳥の足に見立てたボールペンの芯１６に装着した場合の図面代用写真であり、図５Ｂは同じく雛鳥１７の足首に装着した例を示す図面代用写真である。
【００４４】
実施形態１の識別具１０によれば、円弧状の伸縮部１１ａ、１１ｂがカールコードから形成されているので、円弧状の伸縮部１１ａ、１１ｂの伸縮度が大きく、足が細い雛鳥の足に対しても、足が太い親鳥に対しても、取付及び取外しが容易となる。加えて、足が細い雛鳥に取り付けた後、雛鳥が成長して足が太くなっても足が締め付けられることが少なく、足に血行障害が生じ難くなって足の成長が阻害されることがないので、家禽の誕生から生育するまで識別具を付け替える必要がなくなる。
【００４５】
さらに、成長した家禽を出荷する場合、通常は下肢（膝よりも下）を切断して出荷するが、実施形態の識別具１０によれば、円弧状の伸縮部１１ａ、１１ｂの伸縮度が大きいために、識別具を取り外すことなく下肢から腿に移動させることができる（図４（ｈ）参照）。そのため、家禽誕生から生育段階だけでなく、出荷後の最終消費まで追跡が可能なトレーサビリティを付与することができるようになる。
【００４６】
なお、実施形態の識別具１０は、１個の環状に形成されたカールコード１１と、熱収縮チューブ１２と、電子タグ１３と、を用いた例を示したが、個々の家禽を識別するためのＩＤを記録し、外部からそのＩＤを識別できるものであれば、これらのものを全て同時に用いる必要はない。例えば、１個の環状に形成されたカールコードと熱収縮チューブ１２とを用いるのであれば、電子タグを用いることなく、熱収縮チューブの表面に印刷等の手段によりＩＤを表示したタグ状の標識部を貼り付けることもできるし、直接熱収縮チューブの表面にＩＤを記録することもできる。このＩＤとしては、飼育者が識別しやすく、かつ、家禽を識別するために必要な情報、例えば個体識別番号であっても、バーコードやＱＲコード（登録商標名）であってもよい。
【００４７】
また、１個の環状に形成されたカールコード１１を用いる場合、熱収縮チューブを用いることなく、中空偏平状の筒状体を用いることも可能である。この場合は、例えばプラスチック製の中空偏平状の筒状体を用い、その内部に１個の環状に形成されたカールコードを挿通し、中空偏平状の筒状体の両側からそれぞれカールコードの一部を円弧状に露出させ、中空偏平状の筒状体の両側に一対の伸縮するコイル状の樹脂コードからなる円弧状の伸縮部を形成してもよい。この場合、中空偏平状の筒状体に挿入されているカールコード１１を接着剤ないし粘着剤によって中空偏平状の筒状体に固着するとよい。このような構成の装着具によれば、中空偏平状の筒状体の表面に、直接ＩＤを記録することもできるし、ＩＤを表示したタグ状の標識部を貼り付けることもできるし、さらには外部表面に電子タグを接着ないし熱収縮チューブにより固定することも可能である。
【００４８】
なお、識別部として、例えばプラスチック製の、所定厚さを有し、偏平形状のものを用いれば、側面の一端及び他端にそれぞれ一対のカールコードからなる円弧状の伸縮部を接着により取り付けることにより、本発明の識別具を構成することができる。このような構成の装着具によれば、所定厚さを有し、偏平形状の識別部の表面に、直接ＩＤを記録することもできるし、ＩＤを表示したタグ状の標識部を貼り付けることもできるし、さらには外部表面に電子タグを接着ないし熱収縮チューブにより固定することも可能である。
【００４９】
なお、実施形態の識別具１０を装着した複数の家禽の連続的ＩＤ読み取り及び計量を行う計量具としては、例えば図６に示した計量具２０を使用することができる。なお、図６は、実施形態の識別具を装着した複数の家禽の連続的ＩＤ読み取り及び体重計量を行うための計量具の一例を示す模式図である。
【００５０】
この計量具２０は、例えば鶏を１羽ずつ通過させるための狭い通路を形成する１対の通路板２１を有している。ただし、図６においては手前側の通路板は図示省略してある。そして、一つの通路板２１に形成された通路内に、所定高さを有し、通路幅全体に亘って広がっているベース板２２と、このベース板２２の表面の中央部側に設けられた鶏の体重を量る計量器２３と、計量器２３の上面側に、ベース板２２の中央部において、ベース板２２の全幅に亘って広がっている電子タグリーダライタ２４と、電子タグリーダライタ２４の表面に設けられた鶏の滞留時間を確保するための障害物２５と、ベース板２２の表面上であって、通路の入口側及び出口側にそれぞれ設けられた一対の段差板２６と、一つの段差板２６のそれぞれ両側に設けられた一つの傾斜板２７と、を備えている。
【００５１】
この計量具２０は、図６の左右端ともに入り口又は出口として作動させることができ、いわゆる双方向性を有するようになっている。計量具の２０の一方の傾斜板２７から複数の鶏を移動させると、一対の通路板２７により形成される通路の幅を狭くしてあるので、複数の鶏は１羽ずつ一方の傾斜板２７を登り、一方の段差板２６を乗り越え、電子タグリーダライタ２４の表面を通り、障害物２５を乗り越え、さらに電子タグリーダライタ２４の表面及び他方の段差板２６を乗り越え、他方の傾斜板２７を下って解放されるようになっている。
【００５２】
この計量具２０によれば、電子タグリーダライタ２４の両側に一対の段差板２６が設けられて通路が狭くされているために、複数の鶏が同時に計量具２０上を通過することが抑制され、また、電子タグリーダライタ２４の表面に障害物２５が設けられているため、鶏が電子タグリーダライタ２４上に滞留する時間が長くなり、電子タグリーダライタ２４によって鶏の足に取り付けられている電子タグのデータの読み取り及び電子タグへのデータの書き込み時間を十分に確保することができるようになる。なお、この計量具は体重を測定するものを例示したが、鶏に対する測定値は、体重だけに特定されるものではなく、例えば、体長を測定するようにしてもよい。
【００５３】
この計量具２０によって自動的に測定された測定値及び電子タグのデータは、通信によって、あるいは、記憶媒体を介してデータベースに記憶される。データベースは例えばパーソナルコンピュータ（以下、「ＰＣ」という。）により構築可能である。より大規模なシステムにおいては、ＰＣに加え、必要に応じて、記憶装置、サーバ、及び、通信装置を設ける。例えば、ＰＣのインターネットを介した通信、あるいは、通信装置を介して外部サーバ等と情報共有することにより、鶏の流通過程においてもデータベースでの情報管理が可能となる。
【００５４】
また、電子タグを用いることにより容易に家禽の成長生育状況の情報をデータベースに記録することができると共に、その作業を自動化できる。さらに、必要な情報を電子タグにも書き込むことができるため、家禽の管理を容易かつ確実に行うことができる。例えば、データベースにアクセスできない場所においても、電子タグ読み取り器があれば、電子タグに記憶されている家禽の個体情報や生育状況の情報を取得することができるため、家禽の管理をどこでも、確実かつ容易に実施することができる。
【００５５】
データベースは、前記電子タグ情報に対応させて、家禽の個体情報（生年月日、生まれた小屋の場所等）、家禽の親鳥の情報（父親、母親、及び、その血統等）、家禽の生育状況の情報（体重、体長、及び、その成長速度等）、家禽の生育環境の情報（小屋の広さ、運動量等）、家禽の生育条件の情報（餌の種類や量等）、家禽の管理情報（親鳥としての管理情報等）、及び、家禽の出荷情報（出荷時期、出荷先等）等を管理することができる。データベースによって、家禽が生まれてから、出荷・流通され、あるいは、親鳥として活用されるまでの家禽の情報を容易に管理することができるため、良好なトレーサビリティを有するシステムを構築することが可能である。また、出荷先においても、データベースの情報を利用することにより、その家禽の個体情報、育成情報等の情報を容易に入手することが可能となる。
【符号の説明】
【００５６】
１０…識別具                              １１…環状に形成されたカールコード
１１ａ、１１ｂ…ループ状の露出部          １２…熱収縮チューブ
１３…電子タグ                            １６…雛鳥の足に見立てたボールペンの芯
１７…雛鳥                                ２０…計量具
２１…通路板                              ２２…ベース板
２３…計量器                              ２４…電子タグリーダライタ
２５…障害物                              ２６…段差板
２７…傾斜板
【図１】
2020005526.tif 000003
【図２】
2020005526.tif 000004
【図３】
2020005526.tif 000005
【図４】
2020005526.tif 000006
【図５】
2020005526.tif 000007
【図６】
2020005526.tif 000008
【図７】
2020005526.tif 000009
【図８】
2020005526.tif 000010